(57)【要約】【課題】経験が少ない異常状態に至ったときにも、操作人が適切な操作を容易に行うことが可能な監視対象設備の表示システムを提供すること。【解決手段】監視対象の設備と関連してその設備の状態及びその操作の制御ボタンを表示する設備状態表示手段と、特定の監視対象設備の操作が必要とされるとき、該当する監視対象設備に対応する前記制御ボタンの態様を変化させる制御ボタン変化手段とを有することを特徴とする監視対象設備の表示システム。【選択図】  図１
2004277109.tif 000002
【特許請求の範囲】
【請求項１】
監視対象の設備と関連してその設備の状態及びその操作の制御ボタンを表示する設備状態表示手段と、
特定の監視対象設備の操作が必要とされるとき、該当する監視対象設備に対応する前記制御ボタンの態様を変化させる制御ボタン変化手段とを有することを特徴とする監視対象設備の表示システム。
【請求項２】
前記制御ボタンが変化する態様は、色が変わることであることを特徴とする請求項１記載の監視対象設備の表示システム。
【請求項３】
前記特定の監視対象設備の操作が必要とされるとき、操作すべきガイダンスを前記設備状態表示手段に表示することを特徴とする請求項１記載の監視対象設備の表示システム。
【請求項４】
前記ガイダンスを半透明状態で前記設備状態表示手段に表示することを特徴とする請求項３記載の監視対象設備の表示システム。
【請求項５】
前記設備状態表示手段により表示される前記制御ボタンが操作人に表示画面上で移動するカーソルと重なったとき、前記制御ボタンが強調表示されることを特徴とする請求項１乃至４のいずれか１記載の監視対象設備の表示システム。
【発明の詳細な説明】
【０００１】
【発明の属する技術分野】
本発明は、エレベータなどの設備状態を表示装置の画面上で容易に監視できる監視対象設備の表示システムに関する。
【０００２】
【従来の技術】
一般に、複数のエレベータなどの設備を効率的に監視するためには、それら設備からの状態を一箇所に集め、それらの設備の状態が同時に把握できるようにすればよい。
【０００３】
しかし、それらの設備の状態が多いと情報が多すぎて書く設備の状態を即座に把握することが困難となる。そこで本出願人はこの問題点を解決する方法として、監視人が種々の情報を視覚的に把握できるような画面構成により回避する発明を出願した（特願２００１−３０６９８６「設備の状態表示システム、プログラム、その表示方法及び設備状態監視制御システム」）。
【０００４】
しかしながら、管制、故障、操作などのイベントが発生するような異常事態の中で、エレベータを止めなければならないような地震はせいぜい年に数回程度しか発生しない。したがって、監視人はこのような経験は非常に少ないので、普段から訓練を行うと共に、異常状態における監視方法、操作方法を文書化したマニュアルを作成し身近に置く運用を行っている。
【０００５】
しかしそれでも、経験が少ないので異常事態に陥ったとき監視人は極度の緊張を強いられ、適切な指示を行うことが困難になるという問題がある。
【０００６】
また、パソコンの画面は比較的小さく表示する範囲は有限である一方、監視範囲が広いとその範囲を画面いっぱいに表示したとき、この監視画面と重ならないようにエレベータの操作ボタンを表示するには、画面の隅の方に小さく表示しなければならず操作ボタンが多いと操作しにくくなるという問題もある。
【０００７】
【発明が解決しようとする課題】
本発明は上述のような問題点に鑑みてなされたもので、経験が少ない異常状態に至ったときにも、操作人が適切な操作を容易に行うことが可能な監視対象設備の表示システムを提供することを目的とする。
【０００８】
【課題を解決するための手段】
上記目的を達成するために、本発明の請求項１によれば、監視対象の設備と関連してその設備の状態及びその操作の制御ボタンを表示する設備状態表示手段と、特定の監視対象設備の操作が必要とされるとき、該当する監視対象設備に対応する前記制御ボタンの態様を変化させる制御ボタン変化手段とを有することを特徴とする監視対象設備の表示システムを提供する。
【０００９】
また本発明の請求項２は、前記制御ボタンが変化する態様は、色が変わることであることを特徴とする請求項１記載の監視対象設備の表示システムを提供する。
【００１０】
本発明の請求項３は、前記特定の監視対象設備の操作が必要とされるとき、操作すべきガイダンスを前記設備状態表示手段に表示することを特徴とする請求項１記載の監視対象設備の表示システムを提供する。
【００１１】
本発明の請求項４は、前記ガイダンスを半透明状態で前記設備状態表示手段に表示することを特徴とする請求項３記載の監視対象設備の表示システムを提供する。
【００１２】
本発明の請求項５は、前記設備状態表示手段により表示される前記制御ボタンが操作人に表示画面上で移動するカーソルと重なったとき、前記制御ボタンが強調表示されることを特徴とする請求項１乃至４のいずれか１記載の監視対象設備の表示システムを提供する。
【００１３】
【発明の実施の形態】
以下、監視対象の設備としてエレベータの場合の本発明の一実施形態について図面を用いて説明する。図１に、この実施形態の操作機能別スイッチ部の画面構成例を示す。
【００１４】
この監視表示画面ａ１０１は、監視対象のエレベータが設置されている場所におけるエレベータなどを表示する監視エリアａ１０２と、複数のメニューボタンが表示されるメニューボタンエリアａ１０３と、操作スイッチが表示される操作スイッチエリアａ１０４と、操作者に対するガイダンスが表示されるガイダンスエリアａ１０５と、停止しない階を設定できる不停止階設定エリアａ１０６と、時計ａ１０７から構成されている。
【００１５】
上記操作スイッチエリアａ１０４のその上には、図１に示すように各種運転ボタンが半透明状に表示された操作機能別スイッチ部ａ１０８が設けられている。この運転指示エリアａ１０８に設けられた運転ボタンは、「地震管制運転」ボタン、「地震低速運転」ボタン、「自家発管制運転」ボタン、「パーキング運転」ボタン、「救出運転」ボタンなどである。
【００１６】
上記のような構成の監視表示画面を監視人が常時監視している。
【００１７】
エレベータを２系統に分けて、一方を低層階用、他方を高層階用とするとこの高層階用のエレベータは低層階では停止する必要がなく通過するように設計され、このような階を急行ゾーンという。
【００１８】
いま、地震が発生し、上記の急行ゾーンにエレベータが停止した場合、従来の監視盤システムでは、ハードブザーを鳴動させ、監視人に対して注意を促すようにする。これに対して本発明のこの実施形態のシステムでは、エレベータを操作し、乗客を敏速に救出するために、ブザーを鳴動させると共に、必要に応じて操作ボタンの色を、例えばピンク色で点灯させる。
【００１９】
即ち図２に示すように、操作機能別スイッチ部ａ１０８の「地震低速運転」ボタンをピンク色に点滅させると共に、このボタンに関連付けて吹き出し状に表示されるメッセージ案内表示部ａ１０９において、例えば「バンクＢ，Ｎｏ３号機が急行ゾーンで停止しています。地震低速運転ＳＷで急行ゾーンから移動させてください。」と操作内容を表示する。また、この表示内容でも「バンクＢ」、「Ｎｏ３号機」、「地震低速運転ＳＷ」と操作のポイントとなる部分を、例えば太字かつ黄色など目立つ色で表示する。
【００２０】
このとき、メッセージ案内表示部ａ１０９は監視エリアａ１０２に表示される監視内容の一部を隠してしまうため、半透明の処理を施し監視内容を見えるようにする。
【００２１】
図３は、操作ＳＷエリアａ１０４内の操作機能別スイッチ部ａ１０８のスイッチの１つをマウスでクリックした状態を示す。
【００２２】
操作スイッチエリアａ１０４内の操作機能別スイッチ部ａ１０８のスイッチをマウスでクリックすると、操作スイッチ画面ａ１１０が監視表示画面ａ１０１の中央に表示される。
【００２３】
この操作スイッチ画面ａ１１０は、４つの操作スイッチ表示エリア、即ち第１操作スイッチ表示エリアａ１１１、第２操作スイッチ表示エリアａ１１２、第３操作スイッチ表示エリアａ１１３、第４操作スイッチ表示エリアａ１１４と、上向き画面切替ボタンａ１１５と、下向き画面切替ボタンａ１１６と、建物選択ボタンａ１１７から構成され、半透明の状態で表示されている。
【００２４】
上記４つの操作スイッチ表示エリアの各々、たとえば第４操作スイッチ表示エリアａ１１４では、例えばａ１１８のバンクに対する操作がなされるとき図３に示すように表示される。また、ａ１１９の各号機に対する操作を行うときに表示される。上向き画面切替ボタンａ１１５と下向き画面切替ボタンａ１１６は、上記４つの操作スイッチ表示エリアの１つを特定してそのエリア内に表示されるバンクや各号機のエレベータスライドさせてすべてを表示できるようにするためにある。したがってこれらの画面切替ボタンをクリックして動作の始動あるいは停止したいエレベータを表示させ、そのエレベータに対応するＯＮスイッチあるいはＯＦＦスイッチをクリックする。
【００２５】
建物選択ボタンａ１１７は、Ａ棟、Ｂ棟、Ｃ棟などの建物の内部にあるバンクやエレベータに対して各操作ができるように、それらの建物を選択するためのボタンである。
【００２６】
本発明のこの実施形態では、操作スイッチ画面ａ１１０全体が半透明になっておりその後のある監視表示画面ａ１０１が見える状態で表示されている。
【００２７】
この場合、監視表示画面ａ１０１の色合いを淡くすれば、監視表示画面ａ１０１による監視画面と操作スイッチ画面ａ１１０により表示される操作画面が視覚的に区別でき、見やすくなる利点がある。
【００２８】
更に、マウスにより表示画面上で移動させるカーソルが、ａ１１８に示すバンクに重なったとき、あるいはａ１１９に示した各エレベータの動作ボタンの表示に重なったときには、バンクの自動や手動の表示、あるいは各エレベータのＯＮ、ＯＦＦの表示などのボタンを強調表示すれば、監視人が間違って操作することを更に防止することができる利点がある。
【００２９】
監視表示画面ａ１０１が見えなくなっても操作スイッチ画面ａ１１０を明瞭に表示させたい場合には、パラメータの値を設定するだけで、操作スイッチ画面ａ１１０の半透明の有無を簡単に設定することが可能である。
【００３０】
図４に本発明のこの実施形態の動作におけるフローチャートを示す。まずステップＦ１０１で、エレベータの状態を検知し、次のステップＦ１０２において、監視人の操作を必要とするか判断する。このとき、ステップＦ１０３で各エレベータの状態を記憶しているエレベータ状態データベース（ＤＢ）を参照し、監視人の操作を対象とする信号を検知したかどうかの判断を行う。
【００３１】
ステップＦ１０３において監視人の操作を必要としない場合には、ステップＦ１０１に戻る。一方監視人の操作を必要とする場合であれば、ステップＦ１０４に移ってその操作の対象となる操作ボタンの位置を検索する。そして、次のステップＦ１０５において、該当ボタンの色の変更、メッセージ案内表示の表示などを行い、操作人に操作を促す。この最後のステップＦ１０５について具体的に述べる。
【００３２】
通常、地震低速運転が手動でなされる場合には、各エレベータ毎に操作する必要がある。画面上に多くの操作ボタンが表示されていると、操作人はどのボタンを押してよいかまごつくことが多い。そこで本発明のこの実施形態では、操作すべきボタンを異なる色で表示すると共に、メッセージもポイントが理解が容易になされるように表示する。
【００３３】
例えば図４に示すように、操作すべき３号機のエレベータボタンをピンク色に表示すると共に、メッセージ案内表示ａ１２０に示すように「バンクＢ，Ｎｏ３号機が急行ゾーンで停止しています。地震低速運転ＳＷで急行ゾーンから移動させてください。」と、必要な操作内容を表示する。この表示内容についても、「バンクＢ」、「Ｎｏ３号機」、「地震低速運転ＳＷ」と、操作のポイントとなる語句を、太字でしかも黄色など、目立つ色により表示する。このようにすれば、動揺していた場合にも操作人は確実に必要な操作を容易に行うことができる。
【００３４】
このとき、操作スイッチ画面ａ１１０が半透明で表示されれば、この画面の下に表示されている監視対象の画面を見ることも容易である。
【００３５】
なお、上記実施形態では、操作が必要な制御ボタンの色をかえたがこれの限られず、その表示の態様を変えるようにすればよい。また本発明は、エレベータに限られず、監視対象の設備の表示システムに適用できる。
【００３６】
【発明の効果】
以上述べたように本発明によれば、経験が少ない異常状態に至ったときにも、操作人が適切な操作を容易に行うことが可能な監視対象設備の表示システムを得ることができる効果がある。
【図面の簡単な説明】
【図１】本発明の一実施形態の監視表示画面例を示す図。
【図２】本発明の一実施形態で地震運転低速運転を操作人に促すときの監視表示画面の一例を示す図。
【図３】本発明一実施形態において操作スイッチ画面の例を示す図。
【図４】本発明の一実施形態の動作手順を説明する為のフローチャートを示す図。
【図５】本発明の一実施形態で地震運転低速運転を操作人に促すときの監視表示画面の他の例を示す図。
【符号の説明】
ａ１０１・・・監視表示画面、
ａ１０２・・・監視エリア、
ａ１０３・・・メニューボタンエリア、
ａ１０４・・・操作スイッチエリア、
ａ１０５・・・ガイダンスエリア、
ａ１０６・・・不停止階設定エリア、
ａ１０７・・・時計、
ａ１０８・・・操作機能別スイッチ部、
ａ１１０・・・操作スイッチ画面、
ａ１１１・・・第１操作スイッチ表示エリア、
ａ１１２・・・第２操作スイッチ表示エリア、
ａ１１３・・・第３操作スイッチ表示エリア、
ａ１１４・・・第４操作スイッチ表示エリア、
ａ１１５・・・上向き画面切替ボタン、
ａ１１６・・・下向き画面切替ボタン、
ａ１１７・・・建物選択ボタン。
【図１】
2004277109.tif 000003
【図２】
2004277109.tif 000004
【図３】
2004277109.tif 000005
【図４】
2004277109.tif 000006
【図５】
2004277109.tif 000007